(57)【要約】【課題】簡素な構成で確実に、ＤＶＤ−ＲＷに記録する。【解決手段】マイクロプロセッサ１１は、ＲＭＤフォーマットが、ＳＲ形式であるか、又は、ＲＯＷ形式であるかを示す第２フォーマットのＲＭＤを読み取る第１読取部１１１と、第２フォーマットのＲＭＤが読み取れない場合に、第１のＲＭＤ以降のＲＭＤフォーマットがＲＯＷ形式であると仮定して、第１のＲＭＤが含まれるＲＭＡセグメント以降のＲＭＡセグメントに含まれる第２フォーマットのＲＭＤを読み取る第２読取部１１２と、第２フォーマットのＲＭＤが読み取られた場合に、読み取られた第２フォーマットのＲＭＤが格納されているＲＭＡセグメントに含まれる第３フォーマットのＲＭＤを読み取る第３読取部１１３と、読み取られたＲＭＤに基づいて、ＤＶＤ−ＲＷ１０への書き込みを実行する書込実行部１１４と、を備える。【選択図】図２
2008217919.tif 000002
【特許請求の範囲】
【請求項１】
ＤＶＤ−ＲＷに情報を記録するＤＶＤレコーダであって、
ＤＶＤ−ＲＷのＲＭＡ（Ｒｅｃｏｒｄｉｎｇ  Ｍａｎａｇｅｍｅｎｔ  Ａｒｅａ）において、ＲＭＡリードイン（Ｌｅａｄ−ｉｎ）情報の次の領域に格納された第１のＲＭＤ（Ｒｅｃｏｒｄｉｎｇ  Ｍａｎａｇｅｍｅｎｔ  Ｄａｔａ）セットに格納され、該第１のＲＭＤセット以降のＲＭＤフォーマットが、ＳＲ（Ｓｅｑｕｅｎｔｉａｌ  Ｒｅｃｏｒｄｉｎｇ）形式であるか、又は、ＲＯＷ（Ｒｅｓｔｒｉｃｔｅｄ  Ｏｖｅｒｗｒｉｔｅ）形式であるかを示す第２フォーマット（Ｆｏｒｍａｔ  ２）のＲＭＤを読み取る第１読取手段と、
前記第１読取手段によって、第２フォーマットのＲＭＤが読み取れない場合に、前記第１のＲＭＤ以降のＲＭＤフォーマットがＲＯＷ形式であると仮定して、前記第１のＲＭＤが含まれるＲＭＡセグメント以降のＲＭＡセグメントに含まれる第２フォーマットのＲＭＤを読み取る第２読取手段と、
前記第２読取手段によって第２フォーマットのＲＭＤが読み取られた場合に、読み取られた第２フォーマットのＲＭＤが格納されているＲＭＡセグメントに含まれる第３フォーマット（Ｆｏｒｍａｔ  ３）のＲＭＤを読み取る第３読取手段と、
前記第３読取手段によって読み取られたＲＭＤに基づいて、前記ＤＶＤ−ＲＷへの書き込みを実行する書込実行手段と、
を備え、
前記第２読取手段は、第２フォーマットのＲＭＤが読み取ることができるまで、前記第１のＲＭＤが含まれるＲＭＡセグメント以降の全てのＲＭＡセグメントについて読み取りを実行し、
前記第３読取手段は、ＲＭＡセグメントに含まれる最新のＲＭＤを読み取ることを特徴とするＤＶＤレコーダ。
【請求項２】
ＤＶＤ−ＲＷに情報を記録するＤＶＤレコーダであって、
ＤＶＤ−ＲＷのＲＭＡ（Ｒｅｃｏｒｄｉｎｇ  Ｍａｎａｇｅｍｅｎｔ  Ａｒｅａ）において、ＲＭＡリードイン（Ｌｅａｄ−ｉｎ）情報の次の領域に格納された第１のＲＭＤ（Ｒｅｃｏｒｄｉｎｇ  Ｍａｎａｇｅｍｅｎｔ  Ｄａｔａ）セットに格納され、該第１のＲＭＤセット以降のＲＭＤフォーマットが、ＳＲ（Ｓｅｑｕｅｎｔｉａｌ  Ｒｅｃｏｒｄｉｎｇ）形式であるか、又は、ＲＯＷ（Ｒｅｓｔｒｉｃｔｅｄ  Ｏｖｅｒｗｒｉｔｅ）形式であるかを示す第２フォーマット（Ｆｏｒｍａｔ  ２）のＲＭＤを読み取る第１読取手段と、
前記第１読取手段によって、第２フォーマットのＲＭＤが読み取れない場合に、前記第１のＲＭＤ以降のＲＭＤフォーマットがＲＯＷ形式であると仮定して、前記第１のＲＭＤが含まれるＲＭＡセグメント以降のＲＭＡセグメントに含まれる第２フォーマットのＲＭＤを読み取る第２読取手段と、
前記第２読取手段によって第２フォーマットのＲＭＤが読み取られた場合に、読み取られた第２フォーマットのＲＭＤが格納されているＲＭＡセグメントに含まれる第３フォーマット（Ｆｏｒｍａｔ  ３）のＲＭＤを読み取る第３読取手段と、
前記第３読取手段によって読み取られたＲＭＤに基づいて、前記ＤＶＤ−ＲＷへの書き込みを実行する書込実行手段と、
を備えることを特徴とするＤＶＤレコーダ。
【請求項３】
前記第２読取手段は、第２フォーマットのＲＭＤが読み取ることができるまで、前記第１のＲＭＤが含まれるＲＭＡセグメント以降の全てのＲＭＡセグメントについて読み取りを実行することを特徴とする請求項２に記載のＤＶＤレコーダ。
【請求項４】
前記第３読取手段は、ＲＭＡセグメントに含まれる最新のＲＭＤを読み取ることを特徴とする請求項２又は請求項３に記載のＤＶＤレコーダ。
【請求項５】
ＤＶＤ−ＲＷに格納された情報を再生するＤＶＤプレーヤであって、
ＤＶＤ−ＲＷのＲＭＡ（Ｒｅｃｏｒｄｉｎｇ  Ｍａｎａｇｅｍｅｎｔ  Ａｒｅａ）において、ＲＭＡリードイン（Ｌｅａｄ−ｉｎ）情報の次の領域に格納された第１のＲＭＤ（Ｒｅｃｏｒｄｉｎｇ  Ｍａｎａｇｅｍｅｎｔ  Ｄａｔａ）セットに格納され、該第１のＲＭＤセット以降のＲＭＤフォーマットが、ＳＲ（Ｓｅｑｕｅｎｔｉａｌ  Ｒｅｃｏｒｄｉｎｇ）形式であるか、又は、ＲＯＷ（Ｒｅｓｔｒｉｃｔｅｄ  Ｏｖｅｒｗｒｉｔｅ）形式であるかを示す第２フォーマット（Ｆｏｒｍａｔ  ２）のＲＭＤを読み取る第１読取手段と、
前記第１読取手段によって、第２フォーマットのＲＭＤが読み取れない場合に、前記第１のＲＭＤ以降のＲＭＤフォーマットがＲＯＷ形式であると仮定して、前記第１のＲＭＤが含まれるＲＭＡセグメント以降のＲＭＡセグメントに含まれる第２フォーマットのＲＭＤを読み取る第２読取手段と、
前記第２読取手段によって第２フォーマットのＲＭＤが読み取られた場合に、読み取られた第２フォーマットのＲＭＤが格納されているＲＭＡセグメントに含まれる第３フォーマット（Ｆｏｒｍａｔ  ３）のＲＭＤを読み取る第３読取手段と、
前記第３読取手段によって読み取られたＲＭＤに基づいて、前記ＤＶＤ−ＲＷに格納された情報を再生する再生実行手段と、
を備えることを特徴とするＤＶＤプレーヤ。
【発明の詳細な説明】
【技術分野】
【０００１】
本発明は、ＤＶＤ−ＲＷに情報を記録するＤＶＤレコーダ及びＤＶＤ−ＲＷに格納された情報を再生するＤＶＤプレーヤに関する。
【背景技術】
【０００２】
従来、大容量の光ディスクであるＤＶＤ（Ｄｉｇｉｔａｌ  Ｖｅｒｓａｔｉｌｅ  Ｄｉｓｋ）として、追記又は上書きが可能なＤＶＤ−ＲＷ（Ｒｅｗｒｉｔａｂｌｅ）等が普及している。ここで、ＤＶＤ−ＲＷに映画等の情報を記録する場合の記録形式には、シーケンシャル（＝連続的）にデータを記録するＳＲ（Ｓｅｑｕｅｎｔｉａｌ  Ｒｅｃｏｒｄｉｎｇ）形式と、ランダムアクセス可能な記録方式であるＲＯＷ（Ｒｅｓｔｒｉｃｔｅｄ  Ｏｖｅｒ  Ｗｒｉｔｅ）形式と、がある。
【０００３】
一方、ＤＶＤレコーダ及びＤＶＤプレーヤは、ＤＶＤ−ＲＷの管理領域（＝ＲＭＡ：Ｒｅｃｏｒｄｉｎｇ  Ｍａｎａｇｅｍｅｎｔ  Ａｒｅａ）に記録された記録形式等の管理情報を用いてデータ領域のデータの再生又は記録動作を実行するため、管理領域の管理情報が読み取れない場合には、ＤＶＤ−ＲＷの再生及び記録を実行することができないことになる。
【０００４】
上記の課題に対して、例えば、記録終了時にＤＶＤ−ＲＷの管理領域に記録された記録時のレーザ照射のパワー校正に用いられるデータ及び記録方式に関するフォーマットデータである管理情報をリードアウト以降に再び記録する光ディスク記録再生装置が開示されている（特許文献１参照）。この光ディスク記録再生装置によれば、データを再生するために必要な管理領域の管理情報のバックアップとして記録することが可能であるため、仮に管理領域が不良となった場合においても救済することが可能となる。
【特許文献１】特開２００６−２０２３８２号公報
【発明の開示】
【発明が解決しようとする課題】
【０００５】
しかしながら、上記光ディスク記録再生装置では、管理情報をリードアウト以降に再び記録するため、記録時間が長くなると共に、管理領域を格納するための容量が増大するという課題がある。また、他のＤＶＤレコーダ等で記録されたＤＶＤ−ＲＷの情報を再生する場合には、ＤＶＤ−ＲＷの再生及び記録を実行することができないことになる。
【０００６】
上記の課題に鑑みて、本発明は、簡素な構成で確実に、ＤＶＤ−ＲＷに記録する（又はＤＶＤ−ＲＷを再生する）ことの可能なＤＶＤレコーダ及びＤＶＤレコーダを提供することを目的としている。
【課題を解決するための手段】
【０００７】
上記目的を達成するために請求項１に記載のＤＶＤレコーダは、ＤＶＤ−ＲＷに情報を記録するＤＶＤレコーダであって、ＤＶＤ−ＲＷのＲＭＡ（Ｒｅｃｏｒｄｉｎｇ  Ｍａｎａｇｅｍｅｎｔ  Ａｒｅａ）において、ＲＭＡリードイン（Ｌｅａｄ−ｉｎ）情報の次の領域に格納された第１のＲＭＤ（Ｒｅｃｏｒｄｉｎｇ  Ｍａｎａｇｅｍｅｎｔ  Ｄａｔａ）セットに格納され、該第１のＲＭＤセット以降のＲＭＤフォーマットが、ＳＲ（Ｓｅｑｕｅｎｔｉａｌ  Ｒｅｃｏｒｄｉｎｇ）形式であるか、又は、ＲＯＷ（Ｒｅｓｔｒｉｃｔｅｄ  Ｏｖｅｒｗｒｉｔｅ）形式であるかを示す第２フォーマット（Ｆｏｒｍａｔ  ２）のＲＭＤを読み取る第１読取手段と、前記第１読取手段によって、第２フォーマットのＲＭＤが読み取れない場合に、前記第１のＲＭＤ以降のＲＭＤフォーマットがＲＯＷ形式であると仮定して、前記第１のＲＭＤが含まれるＲＭＡセグメント以降のＲＭＡセグメントに含まれる第２フォーマットのＲＭＤを読み取る第２読取手段と、前記第２読取手段によって第２フォーマットのＲＭＤが読み取られた場合に、読み取られた第２フォーマットのＲＭＤが格納されているＲＭＡセグメントに含まれる第３フォーマット（Ｆｏｒｍａｔ  ３）のＲＭＤを読み取る第３読取手段と、前記第３読取手段によって読み取られたＲＭＤに基づいて、前記ＤＶＤ−ＲＷへの書き込みを実行する書込実行手段と、を備え、前記第２読取手段が、第２フォーマットのＲＭＤが読み取ることができるまで、前記第１のＲＭＤが含まれるＲＭＡセグメント以降の全てのＲＭＡセグメントについて読み取りを実行し、前記第３読取手段が、ＲＭＡセグメントに含まれる最新のＲＭＤを読み取ることを特徴としている。
【０００８】
請求項２に記載のＤＶＤレコーダは、ＤＶＤ−ＲＷに情報を記録するＤＶＤレコーダであって、ＤＶＤ−ＲＷのＲＭＡ（Ｒｅｃｏｒｄｉｎｇ  Ｍａｎａｇｅｍｅｎｔ  Ａｒｅａ）において、ＲＭＡリードイン（Ｌｅａｄ−ｉｎ）情報の次の領域に格納された第１のＲＭＤ（Ｒｅｃｏｒｄｉｎｇ  Ｍａｎａｇｅｍｅｎｔ  Ｄａｔａ）セットに格納され、該第１のＲＭＤセット以降のＲＭＤフォーマットが、ＳＲ（Ｓｅｑｕｅｎｔｉａｌ  Ｒｅｃｏｒｄｉｎｇ）形式であるか、又は、ＲＯＷ（Ｒｅｓｔｒｉｃｔｅｄ  Ｏｖｅｒｗｒｉｔｅ）形式であるかを示す第２フォーマット（Ｆｏｒｍａｔ  ２）のＲＭＤを読み取る第１読取手段と、前記第１読取手段によって、第２フォーマットのＲＭＤが読み取れない場合に、前記第１のＲＭＤ以降のＲＭＤフォーマットがＲＯＷ形式であると仮定して、前記第１のＲＭＤが含まれるＲＭＡセグメント以降のＲＭＡセグメントに含まれる第２フォーマットのＲＭＤを読み取る第２読取手段と、前記第２読取手段によって第２フォーマットのＲＭＤが読み取られた場合に、読み取られた第２フォーマットのＲＭＤが格納されているＲＭＡセグメントに含まれる第３フォーマット（Ｆｏｒｍａｔ  ３）のＲＭＤを読み取る第３読取手段と、前記第３読取手段によって読み取られたＲＭＤに基づいて、前記ＤＶＤ−ＲＷへの書き込みを実行する書込実行手段と、を備えることを特徴としている。
【０００９】
請求項３に記載のＤＶＤレコーダは、請求項２に記載のＤＶＤレコーダであって、前記第２読取手段が、第２フォーマットのＲＭＤが読み取ることができるまで、前記第１のＲＭＤが含まれるＲＭＡセグメント以降の全てのＲＭＡセグメントについて読み取りを実行することを特徴としている。
【００１０】
請求項４に記載のＤＶＤレコーダは、請求項２又は請求項３に記載のＤＶＤレコーダであって、前記第３読取手段が、ＲＭＡセグメントに含まれる最新のＲＭＤを読み取ることを特徴としている。
【００１１】
請求項５に記載のＤＶＤプレーヤは、ＤＶＤ−ＲＷに格納された情報を再生するＤＶＤプレーヤであって、ＤＶＤ−ＲＷのＲＭＡ（Ｒｅｃｏｒｄｉｎｇ  Ｍａｎａｇｅｍｅｎｔ  Ａｒｅａ）において、ＲＭＡリードイン（Ｌｅａｄ−ｉｎ）情報の次の領域に格納された第１のＲＭＤ（Ｒｅｃｏｒｄｉｎｇ  Ｍａｎａｇｅｍｅｎｔ  Ｄａｔａ）セットに格納され、該第１のＲＭＤセット以降のＲＭＤフォーマットが、ＳＲ（Ｓｅｑｕｅｎｔｉａｌ  Ｒｅｃｏｒｄｉｎｇ）形式であるか、又は、ＲＯＷ（Ｒｅｓｔｒｉｃｔｅｄ  Ｏｖｅｒｗｒｉｔｅ）形式であるかを示す第２フォーマット（Ｆｏｒｍａｔ  ２）のＲＭＤを読み取る第１読取手段と、前記第１読取手段によって、第２フォーマットのＲＭＤが読み取れない場合に、前記第１のＲＭＤ以降のＲＭＤフォーマットがＲＯＷ形式であると仮定して、前記第１のＲＭＤが含まれるＲＭＡセグメント以降のＲＭＡセグメントに含まれる第２フォーマットのＲＭＤを読み取る第２読取手段と、前記第２読取手段によって第２フォーマットのＲＭＤが読み取られた場合に、読み取られた第２フォーマットのＲＭＤが格納されているＲＭＡセグメントに含まれる第３フォーマット（Ｆｏｒｍａｔ  ３）のＲＭＤを読み取る第３読取手段と、前記第３読取手段によって読み取られたＲＭＤに基づいて、前記ＤＶＤ−ＲＷに格納された情報を再生する再生実行手段と、を備えることを特徴としている。
【発明の効果】
【００１２】
請求項１に記載のＤＶＤレコーダによれば、ＤＶＤ−ＲＷのＲＭＡにおいて、ＲＭＡリードイン情報の次の領域に格納された第１のＲＭＤセットに格納され、第１のＲＭＤ以降のＲＭＤフォーマットが、ＳＲ形式であるか、又は、ＲＯＷ形式であるかを示す第２フォーマットのＲＭＤが読み取られ、第２フォーマットのＲＭＤが読み取れない場合に、第１のＲＭＤ以降のＲＭＤフォーマットがＲＯＷ形式であると仮定して、第１のＲＭＤが含まれるＲＭＡセグメント以降のＲＭＡセグメントに含まれる第２フォーマットのＲＭＤが読み取られる。そして、第２フォーマットのＲＭＤが読み取られた場合に、読み取られた第２フォーマットのＲＭＤが格納されているＲＭＡセグメントに含まれる第３フォーマットのＲＭＤが読み取られ、読み取られたＲＭＤに基づいて、ＤＶＤ−ＲＷへの書き込みが実行されるため、簡素な構成で確実に、ＤＶＤ−ＲＷに記録することができる。
【００１３】
すなわち、第１のＲＭＤセットに格納された第２フォーマットのＲＭＤが読み取れない場合であっても、第１のＲＭＤ以降のＲＭＤフォーマットがＲＯＷ形式であると仮定して、第１のＲＭＤが含まれるＲＭＡセグメント以降のＲＭＡセグメントに含まれる第２フォーマットのＲＭＤが読み取られるため、第１のＲＭＤが含まれるＲＭＡセグメント以降のＲＭＡセグメントに含まれる第２フォーマットのＲＭＤが読み取られた場合には、読み取られた第２フォーマットのＲＭＤが格納されているＲＭＡセグメントに含まれる第３フォーマットのＲＭＤに基づいて、ＤＶＤ−ＲＷへの書き込みが実行されるので、簡素な構成で確実に、ＤＶＤ−ＲＷに記録することができる。
【００１４】
つまり、第１のＲＭＤセットに格納された第２フォーマットのＲＭＤが読み取れない場合であっても、第１のＲＭＤが含まれるＲＭＡセグメント以降のＲＭＡセグメントに含まれる第２フォーマットのＲＭＤが読み取られた場合には、ＤＶＤ−ＲＷへの書き込みが可能となるので、ＤＶＤ−ＲＷに記録することができる可能性を高めることができるのである。
【００１５】
また、第２フォーマットのＲＭＤが読み取ることができるまで、第１のＲＭＤが含まれるＲＭＡセグメント以降の全てのＲＭＡセグメントについて読み取りが実行されるため、更に確実に、ＤＶＤ−ＲＷに記録することができる。
【００１６】
すなわち、ＲＯＷ形式のＤＶＤ−ＲＷには、５個のＲＭＡセグメントが形成されているため、第１のＲＭＤが含まれるＲＭＡセグメント以降の全て（＝４個）のＲＭＡセグメントについて読み取りが実行されるので、いずれかのＲＭＡセグメントに含まれる第２フォーマットのＲＭＤを読み取ることができる場合には、読み取られた第２フォーマットのＲＭＤが格納されているＲＭＡセグメントに含まれる第３フォーマットのＲＭＤに基づいてＤＶＤ−ＲＷに記録することができるのである。
【００１７】
更に、ＲＭＡセグメントに含まれる最新のＲＭＤが読み取られるため、更に適正にＤＶＤ−ＲＷに記録することができる。
【００１８】
請求項２に記載のＤＶＤレコーダによれば、ＤＶＤ−ＲＷのＲＭＡにおいて、ＲＭＡリードイン情報の次の領域に格納された第１のＲＭＤセットに格納され、第１のＲＭＤ以降のＲＭＤフォーマットが、ＳＲ形式であるか、又は、ＲＯＷ形式であるかを示す第２フォーマットのＲＭＤが読み取られ、第２フォーマットのＲＭＤが読み取れない場合に、第１のＲＭＤ以降のＲＭＤフォーマットがＲＯＷ形式であると仮定して、第１のＲＭＤが含まれるＲＭＡセグメント以降のＲＭＡセグメントに含まれる第２フォーマットのＲＭＤが読み取られる。そして、第２フォーマットのＲＭＤが読み取られた場合に、読み取られた第２フォーマットのＲＭＤが格納されているＲＭＡセグメントに含まれる第３フォーマットのＲＭＤが読み取られ、読み取られたＲＭＤに基づいて、ＤＶＤ−ＲＷへの書き込みが実行されるため、簡素な構成で確実に、ＤＶＤ−ＲＷに記録することができる。
【００１９】
すなわち、第１のＲＭＤセットに格納された第２フォーマットのＲＭＤが読み取れない場合であっても、第１のＲＭＤ以降のＲＭＤフォーマットがＲＯＷ形式であると仮定して、第１のＲＭＤが含まれるＲＭＡセグメント以降のＲＭＡセグメントに含まれる第２フォーマットのＲＭＤが読み取られるため、第１のＲＭＤが含まれるＲＭＡセグメント以降のＲＭＡセグメントに含まれる第２フォーマットのＲＭＤが読み取られた場合には、読み取られた第２フォーマットのＲＭＤが格納されているＲＭＡセグメントに含まれる第３フォーマットのＲＭＤに基づいて、ＤＶＤ−ＲＷへの書き込みが実行されるので、簡素な構成で確実に、ＤＶＤ−ＲＷに記録することができる。
【００２０】
つまり、第１のＲＭＤセットに格納された第２フォーマットのＲＭＤが読み取れない場合であっても、第１のＲＭＤが含まれるＲＭＡセグメント以降のＲＭＡセグメントに含まれる第２フォーマットのＲＭＤが読み取られた場合には、ＤＶＤ−ＲＷへの書き込みが可能となるので、ＤＶＤ−ＲＷに記録することができる可能性を高めることができるのである。
【００２１】
請求項３に記載のＤＶＤレコーダによれば、第２フォーマットのＲＭＤが読み取ることができるまで、第１のＲＭＤが含まれるＲＭＡセグメント以降の全てのＲＭＡセグメントについて読み取りが実行されるため、更に確実に、ＤＶＤ−ＲＷに記録することができる。
【００２２】
すなわち、ＲＯＷ形式のＤＶＤ−ＲＷには、５個のＲＭＡセグメントが形成されているため、第１のＲＭＤが含まれるＲＭＡセグメント以降の全て（＝４個）のＲＭＡセグメントについて読み取りが実行されるので、いずれかのＲＭＡセグメントに含まれる第２フォーマットのＲＭＤを読み取ることができる場合には、読み取られた第２フォーマットのＲＭＤが格納されているＲＭＡセグメントに含まれる第３フォーマットのＲＭＤに基づいてＤＶＤ−ＲＷに記録することができるのである。
【００２３】
請求項４に記載のＤＶＤレコーダによれば、ＲＭＡセグメントに含まれる最新のＲＭＤが読み取られるため、更に適正にＤＶＤ−ＲＷに記録することができる。
【００２４】
請求項５に記載のＤＶＤプレーヤによれば、ＤＶＤ−ＲＷのＲＭＡにおいて、ＲＭＡリードイン情報の次の領域に格納された第１のＲＭＤセットに格納され、第１のＲＭＤ以降のＲＭＤフォーマットが、ＳＲ形式であるか、又は、ＲＯＷ形式であるかを示す第２フォーマットのＲＭＤが読み取られ、第２フォーマットのＲＭＤが読み取れない場合に、第１のＲＭＤ以降のＲＭＤフォーマットがＲＯＷ形式であると仮定して、第１のＲＭＤが含まれるＲＭＡセグメント以降のＲＭＡセグメントに含まれる第２フォーマットのＲＭＤが読み取られる。そして、第２フォーマットのＲＭＤが読み取られた場合に、読み取られた第２フォーマットのＲＭＤが格納されているＲＭＡセグメントに含まれる第３フォーマットのＲＭＤが読み取られ、読み取られたＲＭＤに基づいて、読み取られたＲＭＤに基づいて、ＤＶＤ−ＲＷに格納された情報が再生されるため、簡素な構成で確実に、ＤＶＤ−ＲＷに格納された情報を再生することができる。
【００２５】
すなわち、第１のＲＭＤセットに格納された第２フォーマットのＲＭＤが読み取れない場合であっても、第１のＲＭＤ以降のＲＭＤフォーマットがＲＯＷ形式であると仮定して、第１のＲＭＤが含まれるＲＭＡセグメント以降のＲＭＡセグメントに含まれる第２フォーマットのＲＭＤが読み取られるため、第１のＲＭＤが含まれるＲＭＡセグメント以降のＲＭＡセグメントに含まれる第２フォーマットのＲＭＤが読み取られた場合には、読み取られた第２フォーマットのＲＭＤが格納されているＲＭＡセグメントに含まれる第３フォーマットのＲＭＤに基づいて、ＤＶＤ−ＲＷに格納された情報が再生されるので、簡素な構成で確実に、ＤＶＤ−ＲＷに格納された情報を再生することができる。
【００２６】
つまり、第１のＲＭＤセットに格納された第２フォーマットのＲＭＤが読み取れない場合であっても、第１のＲＭＤが含まれるＲＭＡセグメント以降のＲＭＡセグメントに含まれる第２フォーマットのＲＭＤが読み取られた場合には、ＤＶＤ−ＲＷの再生が可能となるので、ＤＶＤ−ＲＷに格納された情報を再生することができる可能性を高めることができるのである。
【発明を実施するための最良の形態】
【００２７】
以下に本発明の実施形態を、図面を参照しながら説明する。図１は、本発明に係るＤＶＤレコーダ１の構成の一例を示すブロック図である。ＤＶＤレコーダ１（ＤＶＤプレーヤにも相当する）は、ＤＶＤ−ＲＷ１０に情報を記録すると共に、ＤＶＤ−ＲＷ１０に格納された情報を再生するものであって、リモートコントローラ（＝Ｒｅｍｏｔｅｃｏｎｔｒｏｌｌｅｒ：以下、「リモコン」という）２と赤外線通信を介して通信可能に接続されている。
【００２８】
リモコン２は、ユーザからの操作入力を受け付けて、操作入力に対応する赤外線信号を生成して、ＤＶＤレコーダ１に対して出力するものである。
【００２９】
また、ＤＶＤレコーダ１は、マイクロプロセッサ１１、光ピックアップ１２、ＲＦ回路１３、外部インターフェイス１４、インターフェイス１５、表示部１６、メモリ１７、及び、赤外線信号受信部１８を備えている。
【００３０】
マイクロプロセッサ１１は、ＤＶＤレコーダ１全体の動作を制御するものである。光ピックアップ１２（第１読取手段の一部、第２読取手段の一部、第３読取手段の一部、書込実行手段の一部、及び、再生実行手段の一部に相当する）は、ＤＶＤ−ＲＷ１０に対してレーザビームを照射してデータの書き込み（ＲＥＣ＝記録）及び読み出し（ＰＬＡＹ＝再生）を行うものである。
【００３１】
ＲＦ回路１３（第１読取手段の一部、第２読取手段の一部、第３読取手段の一部、書込実行手段の一部、及び、再生実行手段の一部に相当する）は、光ピックアップ１２から出力されるＲＦ（Ｒａｄｉｏ  Ｆｒｅｑｕｅｎｃｙ）信号を処理するものである。外部インターフェイス１４は、外部入出力機器との間で、データの入出力を行う際のデータ形式の変換等を行うものである。インターフェイス１５は、ケーブルを介して図略のテレビ受信機等の外部機器との間で映像情報、コマンド情報等の種々の情報の送受信を行うものである。
【００３２】
表示部１６は、例えば、ＬＣＤ（Ｌｉｑｕｉｄ  Ｃｒｙｓｔａｌ  Ｄｉｓｐｌａｙ）等からなり、外部から視認可能にガイダンス情報、メッセージ情報、設定情報等の種々の情報を表示するものである。メモリ１７は、種々の情報を格納するものである。赤外線信号受信部１８は、リモコン２から送信された赤外線信号を受信するものである。
【００３３】
図２は、本発明に係るＤＶＤレコーダ１における主要部の構成の一例を示す機能構成図である。図１に示すマイクロプロセッサ１１は、機能的に、第１読取部１１１、第２読取部１１２、第３読取部１１３、書込実行部１１４、再生実行部１１５、及び、第４読取部１１６を備えている。
【００３４】
ここでは、マイクロプロセッサ１１が、図略のＲＯＭ（Ｒｅａｄ  Ｏｎｌｙ  Ｍｅｍｏｒｙ）等に予め格納された制御プログラムを読み出して実行することにより、第１読取部１１１、第２読取部１１２、第３読取部１１３、書込実行部１１４、再生実行部１１５、第４読取部１１６等の機能部として機能するものである。
【００３５】
また、図２に示すメモリ１７又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００３６】
第１読取部１１１（第１読取手段の一部に相当する）は、ＤＶＤレコーダ１にＤＶＤ−ＲＷ１０が挿入されたか否かを判定し、挿入されたと判定された場合には、ＤＶＤ−ＲＷ１０のＲＭＡにおいて、ＲＭＡリードイン情報の次の領域に格納された第１のＲＭＤセットに格納され、該第１のＲＭＤ以降のＲＭＤフォーマットが、ＳＲ形式であるか、又は、ＲＯＷ形式であるかを示す第２フォーマットのＲＭＤを読み取るものである。
【００３７】
第２読取部１１２（第２読取手段の一部に相当する）は、第１読取部１１１によって、第２フォーマットのＲＭＤが読み取れない場合に、第１のＲＭＤ以降のＲＭＤフォーマットがＲＯＷ形式であると仮定して、第１のＲＭＤが含まれるＲＭＡセグメント以降のＲＭＡセグメントに含まれる第２フォーマットのＲＭＤを読み取るものである。また、第２読取部１１２は、第２フォーマットのＲＭＤが読み取ることができるまで、第１のＲＭＤが含まれるＲＭＡセグメント以降の全てのＲＭＡセグメントについて読み取りを実行するものである。
【００３８】
第３読取部１１３（第３読取手段の一部に相当する）は、第２読取部１１２によって第２フォーマットのＲＭＤが読み取られた場合に、読み取られた第２フォーマットのＲＭＤが格納されているＲＭＡセグメントに含まれる第３フォーマットのＲＭＤを読み取るものである。また、第３読取部１１３は、ＲＭＡセグメントに含まれる最新のＲＭＤを読み取るものである。具体的には、第３読取部１１３は、読み取られた第２フォーマットのＲＭＤが格納されているＲＭＡセグメントに含まれるＲＭＤの中から、最新のＲＭＤを検索し、検索された最新のＲＭＤを読み取るものである。
【００３９】
第４読取部１１６は、第１読取部１１１によって、第２フォーマットのＲＭＤが読み取られた場合に、読み取られた第２フォーマットのＲＭＤに基づいて、ＲＭＤフォーマットがＳＲ形式であるか、ＲＯＷ形式であるかを判定するものである。また、第４読取部１１６は、ＳＲ形式であると判定された場合には、最新の第１フォーマットのＲＭＤを読み取るものである。更に、第４読取部１１６は、ＲＯＷ形式であると判定された場合には、最新の第３フォーマットのＲＭＤを読み取るものである。
【００４０】
ここで、図５を用いてＳＲ形式及びＲＯＷ形式について説明する。図５は、ＳＲ形式及びＲＯＷ形式のＲＭＡのＲＭＤフォーマットを示すデータ構成図である。（ａ）は、ＳＲ形式のＲＭＡのＲＭＤフォーマットであり、（ｂ）は、ＲＯＷ形式のＲＭＡのＲＭＤフォーマットである。
【００４１】
（ａ）に示すように、ＳＲ形式のＲＭＡには、ＲＭＡリードイン（Ｌｅａｄ−ｉｎ）情報、第２フォーマット（Ｆｏｒｍａｔ  ２）のＲＭＤが格納されたＲＭＤセット、及び、第１フォーマット（Ｆｏｒｍａｔ  １）のＲＭＤが格納されている。ＲＭＤセットは、５個のＲＭＤで構成され、５個のＲＭＤにおいて、図６を用いて後述するＲＧＢフィールド以外のフィールドには、全て同一の管理情報が格納されている。まず、ＲＭＤセットに管理情報が格納され、続いて、第１フォーマット（Ｆｏｒｍａｔ  １）のＲＭＤに、管理情報が逐次格納される。
【００４２】
（ｂ）に示すように、ＲＯＷ形式のＲＭＡには、ＲＭＡリードイン（Ｌｅａｄ−ｉｎ）情報、及び、５個のＲＭＡセグメントが形成されている。各ＲＭＡセグメントには、それぞれ、２８個のＲＭＤセットが形成され、その内、最初のＲＭＤセットに第２フォーマット（Ｆｏｒｍａｔ  ２）のＲＭＤが格納され、以降の２７個のＲＭＤセットには、第３フォーマット（Ｆｏｒｍａｔ  ３）のＲＭＤが格納されている。また、第２フォーマット（Ｆｏｒｍａｔ  ２）のＲＭＤが格納されるＲＭＤセットは、５個のＲＭＤから構成され、５個のＲＭＤにおいて、図６を用いて後述するＲＧＢフィールド以外のフィールドには、全て同一の管理情報が格納されている。
【００４３】
ＤＶＤレコーダ１に挿入されたＤＶＤ−ＲＷ１０のＲＭＡがＲＯＷ形式である場合には、第１読取部１１１、第２読取部１１２、及び、第３読取部１１３は、それぞれ、図５（ｂ）に示すデータ構成図において以下の処理を行う。第１読取部１１１は、第１ＲＭＡセグメント（ＲＭＡ  Ｓｅｇｍｅｎｔ  ＃１）の第１ＲＭＤセット（ＲＭＤ  Ｓｅｔ  ＃１）に含まれる第２フォーマットのＲＭＤを読み取る。
【００４４】
第２読取部１１２は、第１のＲＭＤセットが含まれる第１ＲＭＡセグメント（ＲＭＡ  Ｓｅｇｍｅｎｔ  ＃１）以降の全てのＲＭＡセグメント、すなわち、第２ＲＭＡセグメント（ＲＭＡ  Ｓｅｇｍｅｎｔ  ＃２）〜第５ＲＭＡセグメント（ＲＭＡ  Ｓｅｇｍｅｎｔ  ＃５）の第１ＲＭＤセット（ＲＭＤ  Ｓｅｔ  ＃１）に含まれる第２フォーマットのＲＭＤを読み取る。
【００４５】
第３読取部１１３は、第２読取部１１２によって第２フォーマットのＲＭＤが読み取られた場合に（＝読み取りが成功した場合に）、第２読取部１１２によって読み取られた第２フォーマットのＲＭＤが格納されているＲＭＡセグメント（例えば、第２ＲＭＡセグメント（ＲＭＡ  Ｓｅｇｍｅｎｔ  ＃２））に含まれ、第３フォーマットのＲＭＤが格納されている第２ＲＭＤセット（ＲＭＤ  Ｓｅｔ  ＃２）〜第２８ＲＭＤセット（ＲＭＤ  Ｓｅｔ  ＃２８）のＲＭＤの中から、最新のＲＭＤを検索し、検索された最新のＲＭＤを読み取る。また、第３読取部１１３は、第２読取部１１２によって第２フォーマットのＲＭＤが読み取られなかった場合に（＝読み取りが失敗した場合に）、エラーであると判定して、図１に示す表示部１６にエラーである旨の表示を行うものである。
【００４６】
図６は、第２フォーマットのＲＭＤに格納された管理情報を示す図表である。「Ｆｉｅｌｄ０」の「Ｄｉｓｃ  ｓｔａｔｕｓ」に、ＲＭＤフォーマットが、ＳＲ形式であるか、又は、ＲＯＷ形式であるかを示す情報が格納されている。すなわち、「Ｄｉｓｃ  ｓｔａｔｕｓ」が「００ｈ」である場合には、ＳＲ形式であることを示し、「１０ｈ」である場合には、ＲＯＷ形式であることを示している。また、第２フォーマットのＲＭＤには、「Ｆｉｅｌｄ２」の「Ｅｒａｓｅ  Ｉｎｆｏｒｍａｔｉｏｎ２」には、記録開始アドレス、記録終了アドレス等の重要な情報が格納されているため、第２フォーマットのＲＭＤが読み取れない場合には、ＤＶＤ−ＲＷ１０の記録及び再生を行うことができないのである。
【００４７】
書込実行部１１４（書込実行手段の一部に相当する）は、リモコンを介して情報を書き込む旨の操作入力が受け付けられた場合に、第３読取部１１３又は第４読取部１１６によって読み取られた最新のＲＭＤに基づいて、ＤＶＤ−ＲＷ１０への書き込みを実行するものである。
【００４８】
再生実行部１１５（再生実行手段の一部に相当する）は、リモコンを介して情報を再生する旨の操作入力が受け付けられた場合に、第３読取部１１３又は第４読取部１１６によって読み取られた最新のＲＭＤに基づいて、ＤＶＤ−ＲＷに格納された情報を再生するものである。
【００４９】
図３、図４は、ＤＶＤレコーダ１（主に、マイクロプロセッサ１１）の記録動作の一例を示すフローチャートである。まず、第１読取部１１１によってＤＶＤ−ＲＷ１０が挿入されたか否かが判定される（Ｓ１０１）。ＤＶＤ−ＲＷ１０が挿入されていないと判定された場合（Ｓ１０１でＮＯ）には、処理が待機状態とされる。ＤＶＤ−ＲＷ１０が挿入されたと判定された場合（Ｓ１０１でＹＥＳ）には、第１読取部１１１によって、第２フォーマットのＲＭＤが読み取られる（Ｓ１０３）。そして、第２読取部１１２によって、ステップＳ１０３における読み取りが成功したか否かの判定が行われる（Ｓ１０５）。
【００５０】
ステップＳ１０３における読み取りが成功しなかった（＝失敗した）と判定された場合（Ｓ１０５でＮＯ）には、処理が図４に示すステップＳ１２３に進められる。ステップＳ１０３における読み取りが成功したと判定された場合（Ｓ１０５でＹＥＳ）には、第４読取部１１６によって、ステップＳ１２３において読み取られた第２フォーマットのＲＭＤに基づいて、第１のＲＭＤ以降のＲＭＤフォーマットが、ＳＲ形式であるか否か（＝ＳＲ形式であるか、又は、ＲＯＷ形式であるか）の判定が行われる（Ｓ１０７）。
【００５１】
ＳＲ形式であると判定された場合（Ｓ１０７でＹＥＳ）には、第４読取部１１６によって、最新の第１フォーマットのＲＭＤが検索される（Ｓ１０９）。そして、第４読取部１１６によって、最新の第１フォーマットのＲＭＤが読み取られる（Ｓ１１１）。
【００５２】
ＳＲ形式ではない（＝ＲＯＷ形式である）と判定された場合（Ｓ１０７でＮＯ）には、第４読取部１１６によって、次のＲＭＡセグメントに含まれる第２フォーマットのＲＭＤが読み取られる（Ｓ１１３）。そして、第４読取部１１６によって、ステップＳ１１３において読み取られた第２フォーマットのＲＭＤにデータが格納されていないか否か（＝データが無いか否か）の判定が行われる（Ｓ１１５）。格納されていると判定された場合（Ｓ１１５でＮＯ）には、処理がステップＳ１１３に戻され、ステップＳ１１３以降の処理が繰り返し実行される。
【００５３】
格納されていないと判定された場合（Ｓ１１５でＹＥＳ）には、第４読取部１１６によって、ＲＭＡセグメントに含まれる最新の第３フォーマットのＲＭＤが検索される（Ｓ１１７）。そして、第４読取部１１６によって、最新の第３フォーマットのＲＭＤが読み取られる（Ｓ１１９）。ステップＳ１１１の処理が終了した場合、又は、ステップＳ１１９の処理が終了した場合には、書込実行部１１４によって、リモコンを介して情報を書き込む旨の操作入力が受け付けられた場合に、ＤＶＤ−ＲＷ１０への書き込みが実行され（Ｓ１２１）、処理が終了される。
【００５４】
ステップＳ１０５でＮＯの場合には、図４に示すように、第２読取部１１２によって、次のＲＭＡセグメントに含まれる第２フォーマットのＲＭＤが読み取られる（Ｓ１２３）。そして、第３読取部１１３によって、ステップＳ１２３における読み取りが成功したか否かの判定が行われる（Ｓ１２５）。成功したと判定された場合（Ｓ１２５でＮＯ）には、処理が図３に示すステップＳ１１３に戻され、ステップＳ１１３以降の処理が繰り返し実行される。ただし、この場合には、ステップＳ１１３からステップＳ１１９までの処理は、第３読取部１１３によって実行される。
【００５５】
成功しなかった（＝失敗した）と判定された場合（Ｓ１２５でＮＯ）には、第２読取部１１２によって、全てのＲＭＡセグメントに含まれる第２フォーマットのＲＭＤの読み取りが終了したか否かの判定が行われる（Ｓ１２７）。全てのＲＭＡセグメントに含まれる第２フォーマットのＲＭＤの読み取りが終了していないと判定された場合（Ｓ１２７でＮＯ）には、処理がステップＳ１２３に戻され、ステップＳ１２３以降の処理が繰り返し実行される。全てのＲＭＡセグメントに含まれる第２フォーマットのＲＭＤの読み取りが終了したと判定された場合（Ｓ１２７でＹＥＳ）には、第３読取部１１３によって、エラーであると判定され（Ｓ１２９）、処理が終了される。
【００５６】
このようにして、ＤＶＤ−ＲＷ１０のＲＭＡにおいて、ＲＭＡリードイン情報の次の領域に格納された第１のＲＭＤセットに格納され、第１のＲＭＤ以降のＲＭＤフォーマットが、ＳＲ形式であるか、又は、ＲＯＷ形式であるかを示す第２フォーマットのＲＭＤが読み取られ、第２フォーマットのＲＭＤが読み取れない場合に、第１のＲＭＤ以降のＲＭＤフォーマットがＲＯＷ形式であると仮定して、第１のＲＭＤが含まれるＲＭＡセグメント以降のＲＭＡセグメントに含まれる第２フォーマットのＲＭＤが読み取られる。そして、第２フォーマットのＲＭＤが読み取られた場合に、読み取られた第２フォーマットのＲＭＤが格納されているＲＭＡセグメントに含まれる第３フォーマットのＲＭＤが読み取られ、読み取られたＲＭＤに基づいて、ＤＶＤ−ＲＷ１０への書き込みが実行されるため、簡素な構成で確実に、ＤＶＤ−ＲＷに記録することができる。
【００５７】
すなわち、第１のＲＭＤセットに格納された第２フォーマットのＲＭＤが読み取れない場合であっても、第１のＲＭＤ以降のＲＭＤフォーマットがＲＯＷ形式であると仮定して、第１のＲＭＤが含まれるＲＭＡセグメント以降のＲＭＡセグメントに含まれる第２フォーマットのＲＭＤが読み取られるため、第１のＲＭＤが含まれるＲＭＡセグメント以降のＲＭＡセグメントに含まれる第２フォーマットのＲＭＤが読み取られた場合には、読み取られた第２フォーマットのＲＭＤが格納されているＲＭＡセグメントに含まれる第３フォーマットのＲＭＤに基づいて、ＤＶＤ−ＲＷ１０への書き込みが実行されるので、簡素な構成で確実に、ＤＶＤ−ＲＷ１０に記録することができる。
【００５８】
つまり、第１のＲＭＤセットに格納された第２フォーマットのＲＭＤが読み取れない場合であっても、第１のＲＭＤが含まれるＲＭＡセグメント以降のＲＭＡセグメントに含まれる第２フォーマットのＲＭＤが読み取られた場合には、ＤＶＤ−ＲＷ１０への書き込みが可能となるので、ＤＶＤ−ＲＷ１０に記録することができる可能性を高めることができるのである。
【００５９】
また、第２フォーマットのＲＭＤが読み取ることができるまで、第１のＲＭＤが含まれるＲＭＡセグメント以降の全てのＲＭＡセグメントについて読み取りが実行されるため、更に確実に、ＤＶＤ−ＲＷ１０に記録することができる。
【００６０】
すなわち、ＲＯＷ形式のＤＶＤ−ＲＷ１０には、５個のＲＭＡセグメントが形成されているため、第１のＲＭＤが含まれるＲＭＡセグメント以降の全て（＝４個）のＲＭＡセグメントについて読み取りが実行されるので、いずれかのＲＭＡセグメントに含まれる第２フォーマットのＲＭＤを読み取ることができる場合には、読み取られた第２フォーマットのＲＭＤが格納されているＲＭＡセグメントに含まれる第３フォーマットのＲＭＤに基づいてＤＶＤ−ＲＷ１０に記録することができるのである。
【００６１】
更に、ＲＭＡセグメントに含まれる最新のＲＭＤが読み取られるため、更に適正にＤＶＤ−ＲＷ１０に記録することができる。
【００６２】
なお、本発明は、以下の形態にも適用可能である。
（Ａ）本実施形態では、ＤＶＤレコーダ１が、ＤＶＤ−ＲＷ１０に情報を記録すると共に、ＤＶＤ−ＲＷ１０に格納された情報を再生する場合について説明したが、ＤＶＤ−ＲＷ１０に情報を記録するか、又は、ＤＶＤ−ＲＷ１０に格納された情報を再生する形態でもよい。ＤＶＤ−ＲＷ１０に格納された情報を再生する場合には、いわゆる、ＤＶＤプレーヤである。
【００６３】
（Ｂ）本実施形態では、マイクロプロセッサ１１が、第１読取部１１１、第２読取部１１２、第３読取部１１３、書込実行部１１４、再生実行部１１５、及び、第４読取部１１６を備える場合について説明したが、第１読取部１１１、第２読取部１１２、第３読取部１１３、書込実行部１１４、再生実行部１１５、及び、第４読取部１１６の内、少なくとも１の機能部が回路等のハードウェアによって構成されている形態でもよい。
【図面の簡単な説明】
【００６４】
【図１】は、本発明に係るＤＶＤレコーダの構成の一例を示すブロック図である。
【図２】は、本発明に係るＤＶＤレコーダにおける主要部の構成の一例を示す機能構成図である。
【図３】は、ＤＶＤレコーダ（主に、マイクロプロセッサ）の記録動作の一例を示すフローチャート（前半部）である。
【図４】は、ＤＶＤレコーダ（主に、マイクロプロセッサ）の記録動作の一例を示すフローチャート（後半部）である。
【図５】は、ＳＲ形式及びＲＯＷ形式のＲＭＡのＲＭＤフォーマットを示すデータ構成図である。
【図６】は、第２フォーマットのＲＭＤに格納された管理情報を示す図表である。
【符号の説明】
【００６５】
１    ＤＶＤレコーダ
１０    ＤＶＤ−ＲＷ
１１    マイクロプロセッサ
１１１    第１読取部（第１読取手段の一部）
１１２    第２読取部（第２読取手段の一部）
１１３    第３読取部（第３読取手段の一部）
１１４    書込実行部（書込実行手段の一部）
１１５    再生実行部（再生実行手段の一部）
１１６    第４読取部
１２    光ピックアップ（第１読取手段の一部、第２読取手段の一部、第３読取手段の一部、書込実行手段の一部、再生実行手段の一部）
１３    ＲＦ回路（第１読取手段の一部、第２読取手段の一部、第３読取手段の一部、書込実行手段の一部、再生実行手段の一部）
２    リモコン
【図１】
2008217919.tif 000003
【図２】
2008217919.tif 000004
【図３】
2008217919.tif 000005
【図４】
2008217919.tif 000006
【図５】
2008217919.tif 000007
【図６】
2008217919.tif 000008